(57)【要約】【課題】母親の体格変化に対応し乳房の一部、即ち、乳頭およびその周囲の露出を調整し授乳時の着衣のたくし上げによる母親の負担を軽減する授乳用着衣固定具を提供する。            【解決手段】弾性扁平紐と長さ調整の出来る非弾性扁平紐からなる輪状とることで、非弾性紐部分の長さ調整が行われ該環状体の長さ調整が行えることで肌の露出を調整でき、弾性扁平紐を伸長させる事で着衣の下から着衣をたくし上げ、首に掛けることで容易に着衣を固定することが出来る授乳用着衣固定具。【選択図】図６
2009041129.tif 000002
【特許請求の範囲】
【請求項１】
長さ調整のできる非弾性扁平紐と弾性扁平紐を接続させ輪状とした授乳用着衣固定具。
【請求項２】
非弾性扁平紐部分に長さ調整具を有する請求項１記載の授乳用着衣固定具。
【請求項３】
長さ調整具が非弾性扁平紐の長さ調整しか行わないように止め具を有することを特徴とする請求項２記載の授乳用着衣固定具。
【請求項４】
長さ調整具により折り返された非弾性扁平紐の広がりを抑える部位を設けていることを特徴とする請求項３記載の授乳用着衣固定具。          
【発明の詳細な説明】
【技術分野】
【０００１】
本発明は、授乳時の乳房の露出を調整し着衣をたくし上げる事を目的とした授乳用着衣固定具に関するものである。
【背景技術】
【０００２】
従来、母親が乳児に母乳を与える際、母親の着衣がずり落ちて授乳の妨げとならない様に、母親の着衣をたくし上げる事を目的とした授乳用着衣固定具は存在する(特許文献１，２参照)
【特許文献１】特許平１０−３７８１３５号公報
【特許文献２】特許平１１−１５４２５３号公報
【発明の開示】
【発明が解決しようとする課題】
【０００３】
従来の授乳用着衣固定具は、ただ単に着衣をたくし上げることのみを追求しており、母親や乳児に対する工夫がなされておらず殆ど実用性がない。特に、乳児の授乳に対する要求は、予測が出来ない為、屋外などの環境においても緊急を有する事がある。その際、母親は乳児を抱いている状態で授乳による乳房の露出を調整し、乳児の柔らかい皮膚に授乳用着衣固定具の突出した調整具があたって傷をつけ無いように慎重に行わなければならず安全かつ容易に行う事が出来なかった。つまり、従来の授乳用着衣固定具は、単に母親の着衣をたくし上げ授乳を行うと言う機能に重点があり、そのような授乳用着衣固定具を必要とする母親や乳児に対する配慮が十分とは言えない。
【課題を解決するための手段】
【０００４】
本発明は上記した従来の欠点に鑑みてなされたもので、弾性扁平紐１と非弾性扁平紐３ｃの片端を接続させ、非弾性扁平紐３ｂを紐通し具2で折り返し非弾性扁平紐３aを長さ調整具4で止め、さらに紐通し具2に接続されていない弾性扁平紐1の片端を接続し輪状の長さ調整の出来る扁平紐とし首に掛けて着衣の下に吊るし必要に応じて着衣の下から弾性扁平紐部分を容易に伸張させ着衣の上えに引き出し首に掛けることで着衣をたくし上げ固定する事ができ母親の必要に応じ長さ調整し着衣のたくし上げによる乳房およびその周囲の露出を調整することが出来る授乳用着衣固定具を提供する。        
【発明の効果】
【０００５】
本発明の授乳用着衣固定具は、扁平紐からなっており違和感を与えず、首に掛け弾性扁平紐部分が伸張する事で容易に着衣をたくし上げ着衣の上に引き出し、首に掛ける事で着衣を固定できる。また、母親の必要に応じ輪状の非性扁平紐部分の長さを容易に調整し着衣のたくし上げによる乳房およびその周囲の露出を調整することが出きるので母親は緊急を有する場合でも乳房の露出を調整し乳児に授乳させることができる。したがって、気ぜわしい家事の合間や屋外でも乳児の授乳に対する要求に迅速に対応し、着衣をたくし上げて授乳させることができる点や屋外など他人の面前で授乳する場合等において、必要以上に肌を露出させ母親に好ましくない感じを与えないように授乳用着衣固定具の長さ調整を行ない露出調整が出来る点で有効である。また、露出を調整する長さ調整具が弾性扁平紐部分にあれば弾性のため広がり、長さ調整がし難くかったり、着衣をたくし上げる時に手がひっかかったりと不都合を生じる。その為、本発明の授乳用着衣固定具の長さ調整部分は非弾性扁平紐からなっており、非弾性扁平紐の長さ調整しか行わないように長さ調整具の止め具を有している。さらに長さ調整で折り返された二本の非弾性扁平紐の広がりを抑える部位を設けているため、たるみの心配が無くなり着衣のたくし上げ時に邪魔にならず安全である。また、長さ調整部分以外が弾性扁平紐の為、着衣のたくし上げが容易に可能である。そのため本発明の授乳用着衣固定具は、予想の出来ない環境の変化やさまざまな着衣の厚み及び体の変化に対応し乳房およびその周囲の露出を調整し安全かつ迅速に着衣をたくし上げ授乳を行う事ができ、母親や乳児の負担を軽減させるものである。
【発明を実施するための最良の形態】
【０００６】
以下、本発明を実地するための最良の形態について説明する。本発明の授乳用着衣固定具は、首に掛けて吊支され、必要に応じて着衣の下で弾性紐部分１を伸張させて着衣を前面側でたくし上げ状にまとめつつ、該下曲がり部を着衣の上から再度首に掛けた状態で着衣のたくし上げ部分を支持させることができるものである。
【０００７】
図１ないし図６は、本発明の授乳用着衣固定具の実施形態を示しており、本実施形態において、授乳用着衣固定具６は、弾性扁平紐と非弾性扁平紐からなる。本実施形態において、環状扁平紐６は、必要に応じて長さ調整を行う事ができ着衣をたくし上げ状にまとめつつ、そのたくし上げ部分がずり落ちないように支持する、着衣のたくし上げ支持手段である。具体的には、図１に示すように、弾性扁平紐１と非弾性扁平紐３ｃの片端を接続させ、非弾性扁平紐３bを紐通し具2で折り返し、非弾性扁平紐３aを長さ調整具4に設け止め、さらに紐通し具2に接続されていない弾性扁平紐1の片端を接続し輪状の長さ調整の出来る環状の扁平紐として形成され折り返された扁平紐の広がりを抑える調整具９を設けている。したがって、該環状体を首に掛けるという簡単な操作で、図２に示すように授乳用着衣固定具６を容易に着用することができる。該環状体、授乳用着衣固定具６を首に掛けた時の弾性紐部分１が伸張し下曲がり部７(図３)を形成するので、着衣８の裾から手を差し入れて下曲がり部を引き出して(図４の状態)着衣の上からその下曲がり部を再度首に掛ける(図５の状態)という簡単な操作で、迅速に着衣をたくし上げることができる。また、母親の必要に応じ環状の扁平紐の長さ調整を調整金具４の移動、扁平非弾性紐３cの方に移動させる事で短くなり、紐通し具２の方に移動させる事で長く調整できるので着衣のたくし上げにより授乳中の乳房およびその周囲の露出を調整し他人の目から隠すことができるし授乳を行っていない乳房側の露出も調整ができる。また、乳児を抱きかかえて乳房にあてがいながら授乳する際に、着衣の裾が乳児の顔あるいは口元に当たって授乳の邪魔にならない高さとなるように着衣の裾をたくし上げて支持することもできるので乳児を抱きながらも不安定な体勢とならず無理なく授乳を継続する事が可能で、素早く対応し漏乳防止にも著しい効果がえられる。本実施形態において弾性扁平紐部分は首から掛けた状態から伸張させるため、例えばゴム紐から形成されるが、ゴム紐の断面形状は円形の方が肌触り等の点で好適である。また、肌に触れても抵抗感が少ない合成繊維等でゴム紐の外周を覆って形成してもよいし、ゴム紐に使用されるゴム糸の素材は、天然ゴム、合成ゴム、あるいはポリウレタン合成繊維等であってもよい。
【０００８】
なお本実施形態において、授乳用着衣固定具６は上述した環状体の弾性扁平紐１と非弾性扁平紐３ｃの接続部分に長さ調整具4の止め具５備えており、非弾性扁平紐部分の長さ調整しか行われない。これにより着衣のたくし上げによる授乳補助具６の伸張に対して長さ調整具4が自在に移動し長は変わらない。図１に示すように、長さ調整具4は、非弾性扁平紐３bおよび非弾性扁平紐３ｃ上を移動し環状体の長さ調整を行い着衣のたくし上げを迅速に行い乳房の露出を調整する部位である。そのため図１に示すように、非弾性扁平紐３aと非弾性扁平紐３bを折り返す紐通し具２に広がりを抑える部位１０を設けている。非弾性扁平紐３a、非弾性扁平紐３bの広がりを抑え移動を行われる調整具９を設けて形成され広がりを抑えている。また、肌に触れても抵抗感が少ない柔らかな繊維材等で非弾性扁平紐３aと非弾性扁平紐３bの広がりを抑える調整具９を形成されてもよい。
【０００９】
本実施形態において、非弾性扁平紐３aと非弾性扁平紐３bを折り返す紐通し具２に広がりを抑える部位１０を設けている。図１に示すように、扁平紐の広がりを抑える部位１０は、直接肌に触れても抵抗感が少ない柔らかな繊維材等で形成されてもよい。なお本実施形態において、授乳補助具６は、表面に凹凸を有していてもよい。
【００１０】
本実施形態において、調整金具４は、布や再粘着可能な布等で覆い直接、乳児に触れないようにし、さらに安全性を考慮する事も可能である。また本発明は、授乳にかぎらず乳房や乳頭およびその周囲のマッサージや人口肛門のパウチ交換など着衣をたくし上げる事を必要とする時にすぐれた効果が期待できる。
【図面の簡単な説明】
【００１１】
【図１】本発明の実施形態に係わる授乳用着衣固定具の平面図である。
【図２】本発明の実施形態に係わる授乳用着衣固定具の着用状態の例を説明する概略斜視図である。
【図３】本発明の実施形態に係わる授乳用着衣固定具の着用状態の例を説明する概略斜視図である。
【図４】本発明の実施形態に係わる授乳用着衣固定具の着用状態の例を説明する概略斜視図である。
【図５】本発明の実施形態に係わる授乳用着衣固定具の着用状態の例を説明する概略斜視図である。
【図６】本発明の実施形態に係わる授乳用着衣固定具の着用状態の例を説明する概略斜視図である。
【符号の説明】
【００１２】
１  弾性扁平紐
２  紐通し具
３a  非弾性扁平紐
３b  非弾性扁平紐
３ｃ  非弾性扁平紐
４  長さ調整具
５  止め具
６  乳用着衣固定具
７  下曲り部
８  着衣
９  調整具
１０  広がりを抑える部位
１１  たくし上げ部分
【図１】
2009041129.tif 000003
【図２】
2009041129.tif 000004
【図３】
2009041129.tif 000005
【図４】
2009041129.tif 000006
【図５】
2009041129.tif 000007
【図６】
2009041129.tif 000008